(57)【要約】【課題】洗剤やリントの堆積による機能不良を解消したフィルタ機構を提供する。【解決手段】洗濯兼脱水槽３２の内側壁３８に着脱自在に取り付けられたフィルタ機構３９は、洗濯兼脱水槽３２の側壁部に水流に応じて洗濯水が通過する流通開口４０ｃを配し、リントを捕獲するフィルタ４１を一体構成したフィルタ取付部材４０を着脱自在に取り付けると共に、フィルタ取付部材４０を取り付けた洗濯兼脱水槽３２の側壁部３７は洗濯兼脱水槽３２内部の水流に応じて洗濯水をフィルタ４１に導く山形凸部３８ｆを設けたもので、洗剤の堆積、リントの付着などが原因による動作不良や、温水利用による熱変形での回動不良を無くし、確実に洗濯水が流れ込ませることによるリント捕獲性能の向上、かつ部品点数削減、組立工数の低減ができる。【選択図】図２
2010136904.tif 000002
【特許請求の範囲】
【請求項１】
洗濯兼脱水槽と、前記洗濯兼脱水槽の側壁部に取り付けられたフィルタ機構と、前記フィルタ機構に設けられ前記洗濯兼脱水槽内部の洗濯水中のリントを捕集するフィルタと、前記洗濯兼脱水槽側壁部に着脱自在に取り付けたフィルタ取付部材と、前記フィルタ取付部材に形成した洗濯兼脱水槽内部の水流に応じて洗濯水流が流入する流通開口とを備え、前記フィルタ取付部材は、リントを捕集する前記フィルタを一体構成し、前記フィルタ取付部材を取り付けた前記洗濯兼脱水槽の側壁部には、前記洗濯兼脱水槽内部の水流に応じて前記流通開口から流入した洗濯水を前記フィルタに導く山形凸部を構成した脱水兼用洗濯機。
【請求項２】
山形凸部は、洗濯兼脱水槽の側壁部に別部材の凸状山形部材として固着した構成とした請求項１記載の脱水兼用洗濯機。
【発明の詳細な説明】
【技術分野】
【０００１】
本発明は、洗濯兼脱水槽内部にフィルタ機構を設けてなる脱水兼用洗濯機に関するものである。
【背景技術】
【０００２】
従来、この種の脱水兼用洗濯機では、水受け槽内に収納した洗濯兼脱水槽の壁部にフィルタ機構を設け、このフィルタ機構の水流に応じて回動するフィルタ部で洗濯水中のリントを捕集するようにしていた（例えば、特許文献１参照）。
【０００３】
以下、図５および図６は、特許文献１に記載された従来の脱水兼用洗濯機のフィルタ機構の分解斜視図および要部断面図を示す。
【０００４】
図５および図６において、洗濯兼脱水槽１は、側壁部２が内面側に所定間隙を介してステンレス鋼板製の内側壁３を設けた二重構造となるよう構成されている。内側壁３はその内面中間部に略方形開口の凹部３ａが形成され、この凹部３ａには洗いやためすすぎ時等に洗濯水が流通する位置にフィルタ機構４が取り付けられている。
【０００５】
なお、凹部３ａの上方側底部及び下方側の側部にはそれぞれ２個ずつの取付用孔３ｂ、３ｃが形成され、さらに上方側及び下方側の各側部にフィルタ機構４の取り外しが円滑に行えるよう凹み３ｄ、３ｅが形成されている。
【０００６】
そして上記のフィルタ機構４は、略方形カバー状で凹部３ａを槽内方側から覆うよう取り付けられるフィルタ取付部材５と、このフィルタ取付部材５内に図６に太矢印Ｘ０で示すように回動自在に取り付けられたフィルタ部６とを有するものである。またフィルタ部６は略方形枠状のフィルタケース７に袋状のフィルタ８が取着された構成となっている。
【０００７】
フィルタ取付部材５は中央部に中央開口５ａが形成され、上下端板５ｂ、５ｃには軸孔５ｄが形成されている。さらにフィルタ取付部材５は、側部の内側壁３の凹部３ａ底面部分に当接する端縁から中央開口５ａまでの間に、流入制限部として所定高さの流入制限側壁５ｅが洗濯兼脱水槽１内の洗濯水の流れに抗するよう形成されており、流入制限側壁５ｅには複数の流通開口５ｆが所定の間隔を設けるようにして形成されている。
【０００８】
そしてフィルタ取付部材５の上下端板５ｂ、５ｃに形成された軸孔５ｄに、フィルタケース７の上下端部から外方に延出する軸部７ａ、７ｂを挿入させることによって、フィルタ部６がフィルタ取付部材５に着脱可能で且つ回動自在に取り付けられる。またフィルタ取付部材５はその上方側端縁から内側壁３面方向に突出する係止片５ｇ、及び下方側端縁から下方向に突出する係止突起５ｈでなる係止部を有するものとなっている。
【０００９】
このため、この係止部の係止片５ｇ及び係止突起５ｈを、図５に示すように内側壁３の凹部３ａに形成された取付用孔３ｂ、３ｃにそれぞれ対応させて係合させることでフィルタ取付部材５が着脱可能な状態で固定され、フィルタ機構４が内側壁３の凹部３ａに取り付けられる。
【００１０】
そして洗濯兼脱水槽１内の洗濯水がフィルタ機構４の近傍で、例えば図６に細矢印Ｙ０で示すように左から右方向に流れる場合にはフィルタケース７は軸部７ａ、７ｂを中心に反時計回りに回動してフィルタケース７の流入口７ｃが左側に向いて開口し、この流入口７ｃから入った洗濯水がフィルタ８を通過しリントの捕集が行われる。また洗濯水の流れる方向が反転して右から左に流れる場合には、逆にフィルタケース７は時計回りに回動して流入口７ｃは右側に向いて開口してフィルタ８でのリントの捕集が行われる。
【特許文献１】特開平８−３２３０９６号公報
【発明の開示】
【発明が解決しようとする課題】
【００１１】
しかしながら、前記構成では、洗濯中にフィルタ機構４において洗濯水の流れでフィルタ部６のフィルタケース７を回動させてリントを捕獲する構造の為、フィルタ取付部材５の上下端板５ｂ、５ｃに設けられた軸孔５ｄ、５ｅに洗濯水の洗剤の堆積、リントの付着などによりフィルタ部６のフィルタケース７が回動しなくなった場合など洗濯水が有効に流れ込まなくなりリント捕獲ができなくなるという課題があった。また、洗濯水に温水を利用した場合には温度により、フィルタ取付部材５の中央開口５ａが熱で変形し、フィルタ部６のフィルタケース７の回動が円滑にできなくなり、上記同様洗濯水が有効に流れ込まなくなりリント捕獲ができなくなるという課題もあった。
【００１２】
本発明は上記従来の課題を解決するもので、フィルタ機構の回動部への洗剤やリントの堆積による機能不良や、温水利用による熱変形での回動不良を無くし、かつ確実に洗濯水が流れこむようにし、リント捕獲性能の向上し、かつ部品点数削減による部品コスト、組立工数の低減および使用者のメンテナンス作業の向上することを目的としている。
【課題を解決するための手段】
【００１３】
前記従来の課題を解決するために、本発明の脱水兼用洗濯機は、洗濯兼脱水槽内部の洗濯水中のリントを捕集するフィルタと、洗濯兼脱水槽側壁部に着脱自在に取り付けたフィルタ取付部材と、フィルタ取付部材に形成した洗濯兼脱水槽内部の水流に応じて洗濯水が通過する流通開口とを備え、フィルタ取付部材は、リントを捕集するフィルタを一体構成し、フィルタ取付部材を取り付けた洗濯兼脱水槽の側壁部には、洗濯兼脱水槽内部の水流に応じて流通開口から流入した洗濯水を前記フィルタに導く山形凸部を構成したものである。
【００１４】
これにより、洗剤の堆積、リントの付着などが原因による動作不良となる回動部材が不要となり、温水利用による熱変形での回動不良を無くし、確実に洗濯水が流れ込ませることによるリント捕獲性能の向上、かつ部品点数削減による部品コスト、組立工数の低減および使用者のメンテナンス作業の向上することができる。
【発明の効果】
【００１５】
本発明の脱水兼用洗濯機は、洗剤やリントの堆積、温水に使用での熱変形による機能不良を解消したフィルタ機構を提供することができる。
【発明を実施するための最良の形態】
【００１６】
第１の発明は、洗濯兼脱水槽と、前記洗濯兼脱水槽の側壁部に取り付けられたフィルタ機構と、前記フィルタ機構に設けられ前記洗濯兼脱水槽内部の洗濯水中のリントを捕集するフィルタと、前記洗濯兼脱水槽側壁部に着脱自在に取り付けたフィルタ取付部材と、前記フィルタ取付部材に形成した洗濯兼脱水槽内部の水流に応じて洗濯水が流入する流通開口とを備え、前記フィルタ取付部材は、リントを捕集する前記フィルタを一体構成し、前記フィルタ取付部材を取り付けた前記洗濯兼脱水槽の側壁部には、前記洗濯兼脱水槽内部の水流に応じて前記流通開口から流入した洗濯水を前記フィルタに導く山形凸部を構成したことにより、回動動作をするフィルタケースを無くし、フィルタ部をフィルタ取付部材と一体構成したフィルタにより回動用の軸孔も不要となり、洗濯水の洗剤の堆積、リントの付着などによるフィルタ部の動作不良や、温水利用による熱変形での回動不良が解消され、確実に洗濯水が流れ込ませることによるリント捕獲性能の向上、かつ部品点数削減による部品コスト、組立工数の低減およびお客様のメンテナンス作業の向上することができる。
【００１７】
第２の発明は、特に第１の発明の山形凸部を、洗濯兼脱水槽の側壁部に別部材の凸状山形部材として固着した構成としたことにより、洗濯兼脱水槽の側壁部の加工を簡単化して作成しやすい構成を実現できる。
【００１８】
以下、本発明の実施の形態について、図面を参照しながら説明する。また、この実施の形態によって本発明が限定されるものではない。
【００１９】
（実施の形態１）
図１は、本発明の第１の実施の形態の脱水兼用洗濯機の縦断面図であり、図２は、同脱水兼用洗濯機のフィルタ機構の組み立て分解斜視図であり、図３は、同脱水兼用洗濯機のフィルタ機構の動作断面図である。
【００２０】
図１において、脱水兼用洗濯機２１は、外箱２２の上端部に図示しない洗濯物出入口を有するトップカバー２３を設け、下端部に略角皿形状の台板２４を設けて構成され、台板２４には底部隅部に脚部２５が設けられている。そしてトップカバー２３には、前方側に図示しないが洗濯行程を制御するコントロール部が設けられていると共に、洗濯物出入口を開閉する外蓋２６が設けられている。
【００２１】
また外箱２２の内部には、外箱２２の４か所の上部隅角部に上端部が取り付けられた吊り棒２７と、この吊り棒２７の下端部にスプリング２８を装着してなる弾性吊持機構２９が設けられている。そして、この弾性吊持機構２９によって水受け槽３０が、槽下部外壁に延設された支持腕３１で支持されるようにして外箱２２内に弾性吊持されている。
【００２２】
一方、洗濯兼脱水槽３２の内底部には撹拌体３４が配設されており、水受け槽３０の下方外側には洗濯機モータ３５を主体とする駆動機構３６が配設されている。そして駆動機構３６により、洗いやためすすぎ時等に洗濯兼脱水槽３２を静止状態にして撹拌体３４を正逆回転させて槽内部に入れられた洗濯物を洗濯水と共に回転させ、槽内を流れる洗濯水によって洗い等を行うようにしている。さらに脱水すすぎや脱水時等に洗濯兼脱水槽３２を撹拌体３４と共に高速回転させるようにしている。
【００２３】
また洗濯兼脱水槽３２は、側壁部３７が内面側に所定間隙を介してステンレス鋼板製の内側壁３８を設けた二重構造となるよう構成され、さらに、洗濯兼脱水槽３２の内側壁３８内方に、洗濯やすすぎ中に衣類からの糸屑や異物を捕捉するフィルタ機構３９が構成されている。
【００２４】
図２の組み立て分解斜視図において、洗濯兼脱水槽３２の内側壁３８は、ステンレス鋼板等で構成され、その内面中間部に略方形開口の凹部３８ａが形成され、この凹部３８ａには洗いやためすすぎ時等に洗濯水が流通する位置にフィルタ機構３９が取り付けられている。なお、凹部３８ａの上方側底部及び下方側の側部にはそれぞれ２個ずつの取付用孔３８ｂ、３８ｃが形成され、さらに上方側及び下方側の各側部にフィルタ機構３９の取り外しが円滑に行えるよう凹み３８ｄ、３８ｅが形成されている。
【００２５】
そして、このステンレス鋼板製の内側壁３８の内面中間部に設けられた略方形開口の凹部３８ａには垂直方向に連続した山形凸部３８ｆが構成されている。この山形凸部３８ｆは洗濯時に回遊する洗濯水がこの山形凸部３８ｆに沿って略中心方向に流れるような緩やかな曲面を有している。
【００２６】
そして上記のフィルタ機構３９は、略方形カバー状で内側壁３８の凹部３８ａを槽内方側から覆うよう取り付けられるフィルタ取付部材４０を有する。フィルタ取付部材４０は、中央部に中央開口４０ａが形成され、この中央開口４０ａに袋状のフィルタ４１が取着された構成となっており、このフィルタ取付部材４０の中央開口４０ａは前記ステンレス鋼板製の内側壁３８の内面中間部に設けられた略方形開口の凹部３８ａに配設した山形凸部３８ｆと相対峙した位置関係で構成されている。
【００２７】
また、フィルタ機構３９のフィルタ取付部材４０の中央開口４０ａの前方を覆うように流入制限部としての所定高さの流入制限側壁４０ｂが設けられるとともに、洗濯水が流入する流通開口４０ｃが設けられている。
【００２８】
フィルタ取付部材４０は、その上方側端縁から内側壁３８面方向に突出する係止片４０ｄ、及び下方側端縁から下方向に突出する係止突起４０ｅでなる係止部を有し、この係止部の係止片４０ｄ及び係止突起４０ｅを、図２に示すように内側壁３８の凹部３８ａに形成された取付用孔３８ｂ、３８ｃにそれぞれ対応させて係合させることでフィルタ取付部材４０が着脱可能な状態で固定され、フィルタ機構３９が内側壁３８の凹部３８ａに取り付けられる。
【００２９】
すなわち、フィルタ取付部材４０の内側壁３８からの取り外しは、凹み３８ｄによる隙間を使って指でフィルタ取付部材４０を押し下げる等弾性変形させるようにして上方側端縁の係止片４０ｄを取付用孔３８ｂから外し、その後に下方側端縁の係止突起４０ｅを取付用孔３８ｃから抜き取ることによって行える。またフィルタ取付部材４０の内側壁３８への取り付けは、取り外しとは逆にするようにして行う。
【００３０】
以上のように構成された洗濯機について、図３により、その動作、構成を説明する。
【００３１】
図３において、洗濯兼脱水槽３２内に洗濯物と洗剤を投入して注水し、洗濯兼脱水槽３２を静止させた状態で図１にて説明した撹拌体３４を正逆回転させて洗いを実行する。
【００３２】
洗濯兼脱水槽３２内部に入れられた洗濯物は洗濯水と共に回転して洗いが進行するが、その過程で槽内を洗濯水が正逆回転しながら流れ、洗濯兼脱水槽３２内の洗濯水がフィルタ取付部材４０の近傍で、矢印Ｙ０で示すように左から右方向に流れる場合には、フィルタ取付部材４０に設けられた洗濯水が通過する流通開口４０ｃから流入し、ステンレス鋼板製の内側壁３８の内面中間部に設けられた略方形開口の凹部３８ａから垂直方向に連続して突出した山形凸部３８ｆの曲面に沿って洗濯水が流れ、洗濯兼脱水槽３２の略中央方向に排出される。
【００３３】
この排出された洗濯水は、この凹部３８ａの山形凸部３８ｆを槽内方側から覆うよう取り付けられるフィルタ取付部材４０の中央開口４０ａに取着された袋状のフィルタ４１内に誘導され、フィルタ４１を通過する際にリントや異物の捕集が行われる。
【００３４】
また図３の矢印Ｚ０で示すように洗濯水の流れる方向が反転して右から左に流れる場合には、逆に山形凸部３８ｆの反対側の曲面に沿って洗濯水が流れ、フィルタ４１側の略中央方向に排出され、同様にリントの捕集が行われる。
【００３５】
（実施の形態２）
図４は、本発明の第２の実施の形態における洗濯機のフィルタ機構の動作断面図を示すものである。
【００３６】
図４において、二重構造である側壁部３７の内側壁であるステンレス鋼板で製作した内側壁３８に、内面中間部に設けられた略方形開口の凹部３８ａに、別部品の合成樹脂等の成型部材の凸状山形部材４２をネジ４３により固着した構成である。
【００３７】
内側壁３８はステンレス鋼板にて加工されるので、比較的大きい部材でもある内側壁３８に凹部３８ａを加工した上、さらにその一部に比較的小さい形状の高さのある山形凸部を一体形成するのは、プレス加工時の加工ひずみやしわ、割れが発生しやすい。そこで、この山形凸部構成を別部材とすることにより、部品点数は増加するが内側壁３８のプレス加工上の簡素化にてカバーし得る効果を生み出したものである。
【００３８】
以上のように構成された脱水兼用洗濯機では、フィルタ機構３９はフィルタ取付部材４０とフィルタ４１の部品構成でリント捕獲をすることができ、大幅な部品削減をすることができ、また、従来のように軸部で回動させる部品が無いため、洗濯水の洗剤の堆積、リントの付着などによる回動不良や、フィルタ取付部材４０が温水利用での多少熱変形による回動不良が解消され、確実に洗濯水をフィルタ４１内に流れ込ませることができ、リント捕獲性能を向上させ、かつ部品点数削減による部品コスト、組立工数の低減およびお客様のメンテナンス作業の向上させることができる。
【産業上の利用可能性】
【００３９】
本発明の脱水兼用洗濯機は、洗剤やリントの堆積、温水に使用での熱変形による機能不良を解消したフィルタ機構を提供する洗濯機として有用である。
【図面の簡単な説明】
【００４０】
【図１】本発明の実施の形態１における脱水兼用洗濯機の断面図
【図２】同脱水兼用洗濯機のフィルタ機構の組み立て分解斜視図
【図３】同脱水兼用洗濯機のフィルタ機構の断面図
【図４】本発明の実施の形態２における洗濯機のフィルタ機構の動作断面図
【図５】従来の脱水兼用洗濯機のフィルタ機構の組み立て分解斜視図
【図６】同脱水兼用洗濯機のフィルタ機構の要部断面図
【符号の説明】
【００４１】
２１    脱水兼用洗濯機
３２    洗濯兼脱水槽
３７    側壁部
３８    内側壁
３８ｆ  山形凸部
３９    フィルタ機構
４０    フィルタ取付部材
４０ｃ  流通開口
４１    フィルタ
４２    凸状山形部材
【図１】
2010136904.tif 000003
【図２】
2010136904.tif 000004
【図３】
2010136904.tif 000005
【図４】
2010136904.tif 000006
【図５】
2010136904.tif 000007
【図６】
2010136904.tif 000008